(57)【要約】【課題】複数の画像で構成される画像を複数の電子黒板装置に効果的に表示できる情報処理装置及び表示システムを提供することである。【解決手段】  情報処理装置１００は電子黒板装置２００及び３００に接続される。各電子黒板装置の表示条件等が設定された後に電子黒板装置に表示される画像シートを送る操作が検知されると（ステップ６２０）、情報処理装置１００は電子黒板装置２００及び３００に対しシート送りを行なうよう指示する信号及び表示データを送信する（ステップ４７０）。電子黒板装置２００及び３００には画像シートがシート単位で移動しているかのように表示され、複数の画像を表示する場合に、従来よりも効果的な表示を実現できる。【選択図】図１０
2014149714.tif 000002
【特許請求の範囲】
【請求項１】
複数の電子黒板装置に接続される情報処理装置であって、
複数の画像シートを、各画像シートの表示順序と関係付けて記憶するための記憶手段と、
前記複数の電子黒板装置の各々に表示される画像シートの、前記表示順序の間の関係を設定するための設定手段と、
前記記憶手段に記憶された前記複数の画像シートのうち、前記複数の電子黒板装置の１つに表示される画像シートが指定されたことに応答して、前記設定手段による設定と前記記憶手段に記憶された各画像シートの表示順序とに基づいて、各前記電子黒板装置に表示されるべき画像シートを決定し、各前記電子黒板装置に表示させるための表示制御手段とを含む、情報処理装置。
【請求項２】
前記複数の電子黒板装置のうち少なくとも１つに対し、当該電子黒板装置に表示される画像の表示を固定するか否かを示す情報の入力を受け記憶するための固定情報記憶手段をさらに含み、
前記表示制御手段は、前記記憶手段に記憶された前記複数の画像シートのうち、前記複数の電子黒板装置の１つに表示される画像シートが指定されたことに応答して、前記設定手段による設定と、前記記憶手段に記憶された各画像シートの表示順序とに基づいて、前記固定情報記憶手段により表示を固定することが記憶されている電子黒板装置を除く前記複数の電子黒板装置に表示されるべき画像シートを決定し、各前記電子黒板装置に表示させるための手段を含む、請求項１に記載の情報処理装置。
【請求項３】
前記複数の電子黒板装置を少なくとも２つのグループに分類するユーザ入力を受け、各グループに属する電子黒板装置を特定する情報を記憶するためのグループ記憶手段をさらに含み、
前記表示制御手段は、前記複数の電子黒板装置の１つに表示される画像シートが指定されたことに応答して、前記グループ記憶手段により記憶されたグループに関する情報と、前記設定手段による設定と、前記記憶手段に記憶された各画像シートの表示順序とに基づいて、前記指定が行なわれた電子黒板装置が属するグループと同じグループに属する各前記電子黒板装置に表示されるべき画像シートを決定し、表示させるための手段を含む、請求項１に記載の情報処理装置。
【請求項４】
情報処理装置及び複数の電子黒板装置を含む表示システムであって、
前記情報処理装置は、
複数の画像シートを、各画像シートの表示順序と関係付けて記憶するための記憶手段と、
前記複数の電子黒板装置の各々に表示される画像シートの、前記表示順序の間の関係を設定するための設定手段と、
前記記憶手段に記憶された前記複数の画像シートのうち、前記複数の電子黒板装置の１つに表示される画像シートが指定されたことに応答して、前記設定手段による設定と、前記記憶手段に記憶された各画像シートの表示順序とに基づいて、各前記電子黒板装置に表示されるべき画像シートを決定し、各前記電子黒板装置に表示させるための表示制御手段とを含む、表示システム。
【請求項５】
１対１に対応して接続される電子黒板装置及び情報処理装置の組を複数含む表示システムであって、
前記情報処理装置は、
複数の画像シートを、各画像シートの表示順序と関係付けて記憶するための記憶手段と、
前記複数の電子黒板装置の各々に表示される画像シートの、前記表示順序の間の関係を設定するための設定手段と、
前記記憶手段に記憶された前記複数の画像シートのうち、前記複数の電子黒板装置の１つに表示される画像シートが指定されたことに応答して、前記設定手段による設定と、前記記憶手段に記憶された各画像シートの表示順序とに基づいて、各前記電子黒板装置に表示されるべき画像シートを決定し、各前記電子黒板装置に表示させるための表示制御手段とを含む、表示システム。
【発明の詳細な説明】
【技術分野】
【０００１】
本発明は、情報処理装置及び表示システムに関し、特に、複数の電子黒板装置の表示を制御する情報処理装置及び表示システムに関する。
【背景技術】
【０００２】
電子黒板装置を用いて画像を表示する表示方法において、１度に複数の電子黒板装置を用いることがある。このような表示方法に関して、後掲の特許文献１には、１つのオブジェクトに関する表示情報を物理的に離れている複数の電子黒板装置間で交換し、当該オブジェクトが電子黒板装置間を移動しているかのように表示する技術が開示されている。特許文献１の表示システムでは、電子黒板装置にオブジェクトが表示されているときにユーザが当該オブジェクトをドラッグすることで、異なる電子黒板装置へ当該オブジェクトが移動したかのように表示させることができる。さらに、この表示システムでは、複数の電子黒板装置にまたがって表示されている１つのオブジェクトを、複数のユーザが互いに反対方向にドラッグすると、当該オブジェクトのコピーを生成させることができる。これらオブジェクトの情報交換に関する技術により、文献１の表示システムでは、各電子黒板装置間での情報交換を円滑に実現できる。さらに、オブジェクトのコピーを作成することで、複数人でのオブジェクトの編集を行ないやすくすることができる。
【先行技術文献】
【特許文献】
【０００３】
【特許文献１】特開２００８−２１６４９９号公報
【発明の概要】
【発明が解決しようとする課題】
【０００４】
このように、上記した特許文献１に係る表示システムでは、１つのオブジェクトを複数の電子黒板装置で効果的に表示及び編集できる。ここで、複数の電子黒板装置に表示させる画像が連続した複数のシートのような複数の画像を含む画像である場合、簡単な操作により各電子黒板装置にシート単位の画像が表示されることが望ましい。こうした表示方法によれば、１台の電子黒板装置のみを用いて画像を表示する場合に比べ、表示範囲が広くなる。さらに、各電子黒板装置には連続したシートがシート単位で表示されるため、ユーザにとって見やすい表示を実現できる。ユーザは各電子黒板装置に表示される複数のシートを同時に閲覧し、各シートの表示内容を比較することができる。
【０００５】
しかし、特許文献１には、１つのオブジェクトを複数の電子黒板装置で表示する方法は開示されているが、表示する画像が複数の画像で構成される場合に、当該表示する画像を効果的に表示する技術は開示されていない。
【０００６】
さらに、特許文献１に係る表示システムでは、電子黒板装置及びクライアントＰＣが一体となってクライアント装置を構成し、複数のクライアント装置及び１台のサーバ装置で当該表示システムが構成されている。そのため、電子黒板装置が複数あると必然的にクライアントＰＣも複数必要となり、１台のスタンドアロン型ＰＣで複数の電子黒板装置を制御するという構成は、当該表示システムでは実現できなかった。
【０００７】
以上より、本発明の目的は、複数の画像で構成される画像を複数の電子黒板装置に効果的に表示できる情報処理装置及び表示システムを提供することである。
【０００８】
本発明の他の目的は、複数の画像で構成される画像を複数の電子黒板装置に効果的に表示できるスタンドアロンの情報処理装置及び表示システムを提供することである。
【課題を解決するための手段】
【０００９】
本発明の第１の局面に係る情報処理装置は、複数の電子黒板装置に接続される。この情報処理装置は、複数の画像シートを、各画像シートの表示順序と関係付けて記憶するための記憶手段と、複数の電子黒板装置の各々に表示される画像シートの、表示順序の間の関係を設定するための設定手段と、記憶手段に記憶された複数の画像シートのうち、複数の電子黒板装置の１つに表示される画像シートが指定されたことに応答して、設定手段による設定と記憶手段に記憶された各画像シートの表示順序とに基づいて、各電子黒板装置に表示されるべき画像シートを決定し、各電子黒板装置に表示させるための表示制御手段とを含む。
【００１０】
情報処理装置は複数の画像シートを表示順序と関係付けて記憶し、複数の電子黒板装置に表示される画像シートの表示順序の関係を設定する。さらに、電子黒板装置の１つに表示される画像が指定されると、情報処理装置は、当該表示順序及び当該設定に基づき各電子黒板装置に表示される画像シートを決定する。したがって、この情報処理装置を用いることで、ユーザは複数の画像シートを複数の電子黒板装置にどのように表示させるかを任意に設定でき、効果的に複数のシートを表示できる。さらに、表示を変更する操作を行なえば、各電子黒板装置には当該変更に応じた画像シートがそれぞれ表示される。ユーザは複数の画像シートの表示順序及び当該表示順序の間の関係を予め設定しておけば、簡単な操作で効果的に複数の画像シートを各電子黒板装置に表示できる。
【００１１】
好ましくは、情報処理装置は、複数の電子黒板装置のうち少なくとも１つに対し、当該電子黒板装置に表示される画像の表示を固定するか否かを示す情報の入力を受け記憶するための固定情報記憶手段をさらに含み、表示制御手段は、記憶手段に記憶された複数の画像シートのうち、複数の電子黒板装置の１つに表示される画像シートが指定されたことに応答して、設定手段による設定と、記憶手段に記憶された各画像シートの表示順序とに基づいて、固定情報記憶手段により表示を固定することが記憶されている電子黒板装置を除く複数の電子黒板装置に表示されるべき画像シートを決定し、各電子黒板装置に表示させるための手段を含む。
【００１２】
表示される画像の表示を固定することを示す情報が固定情報記憶手段に記憶されていると、当該電子黒板装置を除く複数の電子黒板装置に対して、表示される画像シートが指定されたことに応答して表示されるべき画像シートが決定される。ユーザが特定の電子黒板装置に対し画像シートの表示を固定するよう入力すると、当該電子黒板装置の表示は固定され、設定手段による設定及び表示順序に影響されない。したがって、ユーザは特定の電子黒板装置の表示を固定させておいたうえで、その他の電子黒板装置に表示される画像シートを任意に変更できる。
【００１３】
好ましくは、情報処理装置は、複数の電子黒板装置を少なくとも２つのグループに分類するユーザ入力を受け、各グループに属する電子黒板装置を特定する情報を記憶するためのグループ記憶手段をさらに含み、表示制御手段は、複数の電子黒板装置の１つに表示される画像シートが指定されたことに応答して、グループ記憶手段により記憶されたグループに関する情報と、設定手段による設定と、記憶手段に記憶された各画像シートの表示順序とに基づいて、ユーザ指示が行なわれた電子黒板装置が属するグループと同じグループに属する各電子黒板装置に表示されるべき画像シートを決定し、表示させるための手段を含む。
【００１４】
複数の電子黒板装置をグループに分類するユーザ入力を受けると、情報処理装置は、当該グループに関する情報、設定手段による設定、及び表示順序に基づいて、各電子黒板装置に表示させる画像シートを決定する。したがって、ユーザは電子黒板装置をグループに分類しておけば、各電子黒板装置の表示を所属するグループに応じた表示にすることができる。ユーザは、表示される画像シートの内容及びテーマ等がグループによって異なるよう、電子黒板装置のグループを任意に設定できる。
【００１５】
好ましくは、情報処理装置は、複数の電子黒板装置の少なくとも１つに対し、当該電子黒板装置に表示される画像シートを編集するユーザ操作が行なわれたことに応答して、表示制御手段を不能化するための不能化手段をさらに含む。
【００１６】
電子黒板装置に表示される画像シートを編集するユーザ操作が行なわれると、情報処理装置は表示制御手段を不能化する。したがって、画像シートを編集する操作が行なわれている最中に誤って表示を変更する操作が行なわれても、当該変更操作は無効となり、編集は保存される。
【００１７】
さらに好ましくは、情報処理装置は、複数の電子黒板装置のいずれかに対し、当該電子黒板装置に表示される画像シートを移動させるユーザ操作が行なわれたことに応答して、不能化手段を無効にして当該ユーザ操作を実行する優先権を当該電子黒板装置に設定するための優先権設定手段をさらに含む。
【００１８】
優先権が設定される電子黒板装置に表示される画像シートを移動させるユーザ操作が行なわれると、不能化手段は無効となり、他の電子黒板装置に表示される画像シートの編集が行なわれていたとしても、複数の電子黒板装置に表示される画像シートは変更される。したがって、ユーザは特定の電子黒板装置にのみ優先権を設定しておけば、他の電子黒板装置で編集が行なわれていても、各電子黒板装置に表示される画像シートを変更できる。
【００１９】
本発明の第２の局面に係る表示システムは、情報処理装置及び複数の電子黒板装置を含む。情報処理装置は、複数の画像シートを、各画像シートの表示順序と関係付けて記憶するための記憶手段と、複数の電子黒板装置の各々に表示される画像シートの、表示順序の間の関係を設定するための設定手段と、記憶手段に記憶された複数の画像シートのうち、複数の電子黒板装置の１つに表示される画像シートが指定されたことに応答して、設定手段による設定と、記憶手段に記憶された各画像シートの表示順序とに基づいて、各電子黒板装置に表示されるべき画像シートを決定し、各電子黒板装置に表示させるための表示制御手段とを含む。
【００２０】
表示システムは、１つの情報処理装置及び複数の電子黒板装置を含むよう構成される。したがって、ユーザはスタンドアロン型ＰＣを用いて表示システムを構成することで、ネットワーク設定等の煩雑な処理を必要としない表示システムを実現できる。
【００２１】
本発明の第３の局面に係る表示システムは、１対１に対応して接続される電子黒板装置及び情報処理装置の組を複数含む。情報処理装置は、複数の画像シートを、各画像シートの表示順序と関係付けて記憶するための記憶手段と、複数の電子黒板装置の各々に表示される画像シートの、表示順序の間の関係を設定するための設定手段と、記憶手段に記憶された複数の画像シートのうち、複数の電子黒板装置の１つに表示される画像シートが指定されたことに応答して、設定手段による設定と、記憶手段に記憶された各画像シートの表示順序とに基づいて、各電子黒板装置に表示されるべき画像シートを決定し、各電子黒板装置に表示させるための表示制御手段とを含む。
【発明の効果】
【００２２】
以上より、本発明に係る情報処理装置によれば、複数のシート、すなわち複数の画像より構成される画像を複数の電子黒板装置に効果的に表示できる。さらに、本発明に係る表示システムによれば、スタンドアロンＰＣ及び複数の電子黒板装置を含むように当該システムを構成しても、又は、電子黒板装置及びＰＣからなる対を同一ネットワーク内に配置して当該システムを構成しても、どちらの構成も可能となる。したがって、状況に応じた柔軟なシステム設計を実現できる。
【図面の簡単な説明】
【００２３】
【図１】本発明の第１の実施の形態に係る表示システムの全体構成を示す図である。
【図２】図１に示す情報処理装置のハードウェア構成を示す制御ブロック図である。
【図３】図１に示す電子黒板装置のハードウェア構成を示す制御ブロック図である。
【図４】図１に示す電子黒板装置のハードウェア構成を示す制御ブロック図である。
【図５】図１に示す電子黒板装置で画像を編集する場合に表示される画面の一例を示す図である。
【図６】図１に示す各電子黒板装置の表示条件を設定するために実行されるプログラムの制御構造を示すフローチャートである。
【図７】図１に示す情報処理装置で電子黒板装置を制御するために実行されるプログラムの制御構造を示すフローチャートである。
【図８】図１に示す電子黒板装置でシート送りが行なわれたときに実行されるプログラムの一部の制御構造を示すフローチャートである。
【図９】第１の実施の形態に係る電子黒板装置の表示条件を設定する画面の一例を示す図である。
【図１０】第１の実施の形態に係る表示システムにおいてシート送り実行時のデータ遷移を説明するためのシーケンス図である。
【図１１】第１の実施の形態に係る電子黒板装置の画面表示の遷移を示す図である。
【図１２】第１の変形例に係る表示システムにおいて実行されるシート送り実行時のデータ遷移を説明するためのシーケンス図である。
【図１３】第１の変形例に係る電子黒板装置の画面表示の遷移を示す図である。
【図１４】第２の変形例に係る電子黒板装置の表示条件を設定する画面の一例を示す図である。
【図１５】第２の変形例に係る表示システムにおいて実行されるシート送り実行時のデータ遷移を説明するためのシーケンス図である。
【図１６】第２の変形例に係る電子黒板装置の画面表示の遷移を示す図である。
【図１７】本発明の第２の実施の形態に係る表示システムの全体構成を示す図である。
【図１８】第２の実施の形態に係る表示システムにおいてシート送り実行時のデータ遷移を説明するためのシーケンス図である。
【発明を実施するための形態】
【００２４】
以下の説明及び図面では、同一の部品には同一の参照番号を付してある。したがって、それらについての詳細な説明は繰返さない。
【００２５】
［第１の実施の形態］
＜表示システムの全体構成＞
図１を参照して、本実施の形態に係る表示システムは、情報処理装置１００、並びに、電子黒板装置２００及び３００を含む。これら装置は互いに接続されており、信号の送受信を実行できる。情報処理装置１００はスタンドアロン型のコンピュータであり、種々のアプリケーションソフトを実行することで、各電子黒板装置の動作を制御する。このようなアプリケーションソフトの１つに、電子黒板装置に対して設定された表示条件、及び、電子黒板装置において検出されたユーザ操作の内容等に応答して、電子黒板装置の表示を制御するための表示アプリケーションソフト（以下、単に「表示ソフト」と呼ぶことがある。）がある。この表示ソフトの構成については、後述する。
【００２６】
電子黒板装置２００及び３００は入力機能及び表示機能が一体型として構成されるタッチパネルディスプレイ２１０及び３１０をそれぞれ含む。情報処理装置１００からの出力指示信号に応答して、タッチパネルディスプレイ２１０及び３１０には指定されたページの画像が表示される。ユーザはタッチパネルディスプレイ２１０又は３１０に表示される画像を手及び入力ペン等でタッチして、当該画像に直接触れながら、編集を行なうことができる。さらに、タッチパネルディスプレイ２１０及び３１０に表示される画像それぞれに対して、ユーザは同時に異なる編集を行なうことができる。
【００２７】
電子黒板装置２００及び３００は教室等の授業を行なう場所に設置される。電子黒板装置２００及び３００は一般的なホワイトボード程度の大きさであり、図１に示すように横一列に並べて配置される。生徒たちは、電子黒板装置２００及び３００に表示される画像を参照しながら授業を受けたり、複数人で当該表示画像を編集し資料を作成したりすることができる。情報処理装置１００は電子黒板装置が設置されるのと同じ場所に設置されるが、教員室等の異なる場所に設置されていてもよい。
【００２８】
＜ハードウェア構成＞
《情報処理装置１００》
図２を参照して、情報処理装置１００は、情報処理装置１００を構成する各機能部を制御するためのＣＰＵ（Ｃｅｎｔｒａｌ  Ｐｒｏｃｅｓｓｉｎｇ  Ｕｎｉt）１１０、ＣＰＵ１１０が読出して実行する各種プログラム及びデータ等を記憶するメモリ１２０、データを記憶するＨＤＤ（Ｈａｒｄ  Ｄｉｓｋ  Ｄｒｉｖｅ）１３０、ＣＰＵ１１０からの指示信号に応答して、指定された画像を表示する表示画面１４０、ユーザからの操作を受付ける操作装置１５０、ＣＰＵ１１０からの指示信号に応答して、指定される画像データに対して必要に応じた画像処理を実行するグラフィックチップ１６０、情報処理装置１００に接続される外部装置との間で信号の送受信を行なう入出力ポート１７０、並びに、情報処理装置１００をネットワーク５０に接続するためのＮＩＣ（Ｎｅｔｗｏｒｋ  Ｉｎｔｅｒｆａｃｅ  Ｃａｒｄ）１８０を含む。
【００２９】
表示ソフトはメモリ１２０に、電子黒板装置２００又は３００に表示される画像のデータはメモリ１２０又はＨＤＤ１３０に、それぞれ記憶される。情報処理装置１００と電子黒板装置２００及び３００とが接続されると、ＣＰＵ１１０は表示ソフトをメモリ１２０より読出し実行する。メモリ１２０には表示ソフト以外にも、情報処理装置１００の電源がオンされたと同時に実行されるプログラムを記憶する。
【００３０】
ＨＤＤ１３０は情報処理装置１００の通電状態に影響されることなくデータを保存できる。情報処理装置１００は複数の生徒及び教員により使用されるため、ＨＤＤ１３０にはユーザごとに管理された画像シートが記憶される。
【００３１】
表示画面１４０には、ＣＰＵからの出力指示に応じて、画像データ以外にも情報処理装置又は電子黒板装置の設定を行なうための設定画面、装置にエラーが発生したことを通知するエラー画面等が表示される。操作装置１５０はマウス、キーボード、及びテンキー等により構成される。ユーザは表示画面１４０を参照しながら、操作装置１５０を操作して情報処理装置１００に対する指示を入力できる。
【００３２】
グラフィックチップ１６０は指定された画像データに対して、画像を立体的に描画する処理、及び、影の効果を画像につける処理等の種々のグラフィック処理を行なう。入出力ポート１７０はＣＰＵ１１０からの指示信号を、外部機器を制御できる電気信号に変換したり、外部機器より受信した電気信号をプログラムで認識できるような信号に変換したりする。入出力ポート１７０を介して信号の送受信を行なうことで、ＣＰＵ１１０は外部機器の制御を実行できる。
【００３３】
《電子黒板装置２００及び３００》
図３を参照して、電子黒板装置２００は、タッチパネルディスプレイ２１０と、コンピュータからなる制御装置２５０とを含む。なお、以下では電子黒板装置２００の構成について説明するが、図４に示す電子黒板装置３００も電子黒板装置２００と同様の構成であるので、説明は繰返さない。
【００３４】
制御装置２５０は、所定のプログラムを実行することにより、電子黒板装置２００の全体の制御を実現するためのＣＰＵ２５２と、電子黒板装置２００の電源がオンされたときにＣＰＵ２５２が読出すプログラムを記憶する読出専用メモリ（Ｒｅａｄ  Ｏｎｌｙ  Ｍｅｍｏｒｙ（ＲＯＭ））２５４と、ＣＰＵ２５２が作業用メモリとして使用するランダム・アクセス・メモリ（Ｒａｎｄｏｍ  Ａｃｃｅｓｓ  Ｍｅｍｏｒｙ（ＲＡＭ））２５６と、電子黒板装置２００の電源が切断されたときに記録を保持することが可能な記録部２５８と、タッチパネルディスプレイ２１０（後述する検知装置２３０）から得た情報（座標データ）をもとに、処理内容を決定する入力処理部２６０と、ＣＰＵ２５２の制御にしたがってタッチパネルディスプレイ２１０による画像の表示を制御する表示制御部２６２と、タッチパネルディスプレイ２１０に表示させる画像を保持するビデオメモリ（ビデオＲＡＭ）２６４と、電子黒板装置２００に対してネットワークとの接続を提供するネットワーク装置２６６と、これらを互いに接続し、相互間のデータ及び制御信号の通信を可能にするバス２６８とを含む。
【００３５】
ＲＯＭ２５４は、電子黒板装置２００の電源投入時にＣＰＵ２５２が実行し、電子黒板装置２００が所定の動作をするように電子黒板装置２００の全体を設定するためのプログラム及びデータを記憶している。電子黒板装置２００の動作を実現するためのプログラムもＲＯＭ２５４に記憶されている。記録部２５８は、通電が遮断された場合にもデータを保持する不揮発性記憶装置であり、例えば、ハードディスクドライブ又はフラッシュメモリ等である。記録部２５８は電子黒板装置２００に対して着脱可能でもよい。記録部２５８は、ＣＰＵ２５２が実行するプログラムの一部を記憶することもできる。ＣＰＵ２５２は、通常動作時には、バス２６８を介してＲＯＭ２５４又は記録部２５８からプログラムをＲＡＭ２５６上にロードし、図示しないプログラムカウンタにより指定されるアドレスから命令を順次読出して実行する。ＣＰＵ２５２は、ＲＯＭ２５４及び記録部２５８に格納されているプログラムにしたがって電子黒板装置２００を構成する各部の制御を行なう。
【００３６】
さらに、記録部２５８は、ＣＰＵ２５２の制御の下で、タッチパネルディスプレイ２１０に表示された画像を画像データとして記憶する。この画像データは、印刷用の画像データとして用いることができる。すなわち、記録部２５８に記憶されている画像データを図示しない画像形成装置に送信することによって、送信した画像データの印刷を行なうことができる。
【００３７】
ネットワーク装置２６６は、ＣＰＵ２５２の制御の下で、ネットワーク５０に接続された図示しない画像形成装置等との間で画像データを送受信する。ネットワーク装置２６６を介して電子黒板装置２００が外部から受信した画像データは、ＲＡＭ２５６又は記録部２５８に記憶される。
【００３８】
タッチパネルディスプレイ２１０は、所定の表示面上に画像を表示する表示部２２２を有する表示出力装置２２０、並びに、検知装置２３０を含む。検知装置２３０は、検知部２３２と、検知部２３２を制御するマイクロコンピュータ２３４とを含む。マイクロコンピュータ２３４は、ＣＰＵ２３６と、検知部２３２で検出した情報（座標データ）を外部（入力処理部２６０）に出力する外部出力部２３８とを含む。検知部２３２は、図示しない入力ペン及びユーザの手等によるタッチパネルディスプレイ２１０への入力を一定間隔で検出する機能を有する。
【００３９】
表示部２２２はフルカラー表示が可能な液晶表示パネル等の表示パネルであり、表示制御部２６２の制御に応じて、ビデオＲＡＭ２６４に記憶された画像を表示する。表示制御部２６２は、表示部２２２を駆動するための駆動部を備え、ビデオＲＡＭ２６４に記憶された画像データを所定のタイミングで読出し、表示部２２２に画像を表示させるための信号を表示部２２２に出力する。表示される画像データは、ＣＰＵ２５２がＲＡＭ２５６上の情報及び記録部２５８に記録された情報から生成し、ビデオＲＡＭ２６４上の各表示画素に対応するアドレスに伝送する。
【００４０】
検知装置２３０は、ユーザによるタッチ操作を検出する検知部２３２と、検知部２３２を制御するマイクロコンピュータ２３４とを含む。マイクロコンピュータ２３４は、ＣＰＵ２３６と、検知部２３２で検出した情報（座標データ）を外部（入力処理部２６０）に出力する外部出力部２３８とを含む。
【００４１】
電子黒板装置２００及び３００は、種々のアプリケーションソフトを起動することが可能であり、起動したアプリケーションソフトに対応した機能を実現する。アプリケーションソフトは、電子黒板装置２００及び３００の主要な機能である、電子黒板装置に付属の入力ペンによる描画を実現するペンソフトを含む。
【００４２】
図３及び図５を参照して、ペンソフトが起動されると、表示部２２２には、図５に示すような画面３７０が表示される。タッチパネルディスプレイ２１０の表示面は、ユーザによる描画が可能な描画領域３７２と、ユーザが利用する機能を指定するための機能ボタン領域３７４とに区分されている。電子黒板装置２００に描画が可能なアプリケーションが起動されていると、ユーザは描画領域３７２に、タッチ操作による描画を行なうことができる。ユーザによりタッチされた点のＸＹ座標が、検知部２３２により所定の周期ごとに検出され、当該座標のデータが制御装置２５０に伝送される。制御装置２５０（ＣＰＵ２５２）は、受信した座標データに応じて、ＲＡＭ２５６に設けられたメモリアドレスに所定値を書込む。このメモリアドレスはビデオＲＡＭ２６４に対応してＲＡＭ２５６に設けられたメモリアドレスであり、当該所定値は検出された位置に対応するように書込まれる。ビデオＲＡＭ２６４上にこれら検出された画像データを記録してもよいが、ここでは、ビデオＲＡＭ２６４の画像データを記憶する領域とは別に、ＲＡＭ２５６に、描画データを記憶する領域が設けられていることを想定する。
【００４３】
機能ボタン領域３７４には、複数の機能ボタンが表示されている。機能ボタンに割当てられる機能は、例えば、タッチ操作による描画機能（ペンの種類を選択可能）、保存されているファイル（画像データ）を開く機能、所定領域の描画を削除する消しゴム機能、ＲＡＭ２５６又は記録部２５８に記憶されている画像データ等を表示する機能、表示されている画像データを保存する機能、並びに、表示されている画像データを印刷する機能等である。各機能ボタンは、アイコンとして表示される。例えば、ペンボタン３７６、３７８、及び３８０のいずれかを選択することにより、描画領域３７２に描画を行なうことが可能となる。選択しているペンボタンを再度タッチすると、描画の線の太さ及び線の色を変更するパレットが表示される。パレット内に表示される線の太さ及び色を選択することにより、描画する線の太さ及び線の色が変更される。変更された線の太さ及び線の色等の、入力ペンの設定に関する情報は、ＲＡＭ２５６に一時的に保存される。さらに、データ取込ボタン３８２を選択することにより、受付フォルダ内に登録された画像データが取込まれて、当該画像データが示す画像が表示される。
【００４４】
このように、ペンソフトでは、受信した画像データが示す画像を描画領域３７２に表示することが可能であり、表示された画像に描画することも可能である。
【００４５】
＜ソフトウェア構成＞
図６を参照して、電子黒板装置２００及び３００で画像を表示する場合の表示条件を設定するために、情報処理装置１００で実行されるプログラムの構成について説明する。このプログラムは、情報処理装置１００が電子黒板装置２００及び３００に接続されたことに応答して自動的に起動する。
【００４６】
このプログラムは、接続された電子黒板装置の台数を認識するためのステップ４１２、認識された台数と同数の画面アイコンを情報処理装置１００の表示画面１４０に表示するためのステップ４１４、及び、何らかの表示条件が入力されたか否かを判定するためのステップ４１６を含む。ステップ４１６の判定が肯定の場合、制御はステップ４１８へ進む。否定の場合、制御は再びステップ４１６へ戻る。
【００４７】
このプログラムはさらに、表示条件の設定が完了したことを確認するＯＫキーが押下されたか否かを判定するためのステップ４１８、ステップ４１８の判定結果が肯定であることに応答して、入力された内容をメモリ１２０又はＨＤＤ１３０に記憶し電子黒板装置２００及び３００の表示条件を設定するステップ４２２、表示条件の設定が完了したことを通知する通知画面を表示するステップ４２４、及び、ステップ４２０の判定結果が否定であることに応答して、入力された設定内容がエラーを含むことを通知するステップ４２６を含む。ステップ４２４の処理が完了すると、このプログラムの実行は終了する。ステップ４２６の処理が完了すると、制御は再びステップ４１６へ戻る。
【００４８】
このプログラムはさらに、ステップ４１８の判定結果が否定であることに応答して、設定画面に表示される画面アイコン（図９）がドラッグ／ドロップされたか否かを判定するステップ４２８、ステップ４２８の判定結果が肯定であることに応答して、設定画面の表示を画面アイコンがドラッグ／ドロップされた後の状態に変更するステップ４３０、及び、ステップ４２８の判定結果が否定であることに応答して、入力された内容に応じて表示条件を変更するステップ４３２を含む。ステップ４３０又は４３２の処理が完了すると、制御は再びステップ４１６に戻る。
【００４９】
図７を参照して、ユーザ操作に基づき、指定される画像が各電子黒板装置に表示されたことに応答して情報処理装置１００で実行されるプログラムの構成について説明する。このプログラムが実行される前に、図６に示す入力条件を設定するプログラムは既に実行完了している。図７に示すプログラムは、電子黒板装置２００又は３００で検出されたユーザ操作がどのような操作であるかを判定するためのステップ４４０、電子黒板装置２００又は３００に表示される画像を入力ペン等でフリックする動作が検出されたことに応答してシート送りを行なうサブルーチンからなるステップ４４２、及び、入力ペンが有するピン止め設定機能がオンされた状態で入力ペンが表示中の画像シートにタッチされたことに応答して当該画像シートをピン止め設定するステップ４４４を含む。ピン止め設定機能の詳細は後述する。
【００５０】
このプログラムはさらに、表示される画像に対する編集操作を検出したことに応答して当該画像のシートをシート送り不能の状態に設定する（この設定を行なうことを、以下では「当該シートをロックする」と呼ぶことがある。）ステップ４４６、入力された編集操作を表示画像のシートに反映するステップ４４８、ステップ４４６により設定されたロックを解除するステップ４５０、及び、その他のユーザ操作を検出したことに応答して、当該ユーザ操作に応じた処理を実行するステップ４５２を含む。
【００５１】
編集操作が行なわれると、ステップ４４６において編集中の画像シートがロックされるが、一部の画像シートがロックされると、他の画像シートをシート送りすることもできなくなる。すなわち、編集操作が行なわれると、全ての電子黒板装置において、シート送りが実行できない。ただし、後述する優先権を有する電子黒板装置については例外である。
【００５２】
電子黒板装置の表示条件を変更することを要求する操作が行なわれると、制御はステップ４５２へ進み、図６に示すプログラムが再び実行される。ステップ４４２、４４４、４５０、及び４５２の処理が完了すると、制御は再びステップ４４０へ戻る。ユーザからこのプログラムの実行を終了する指示を受信するまで、一連のステップは繰返し実行される。
【００５３】
図８を参照して、図７に示すステップ４４２で実行されるサブルーチンは、電子黒板装置に表示される画像に編集中の画像があるか否かを判定するステップ４６２、ステップ４６２の判定結果が肯定であることに応答して、後述の優先権を有するページの画像がシート送りされたか否かを判定するステップ４６４、及び、ステップ４６２の判定結果が否定、又はステップ４６４の判定結果が肯定であることに応答して、表示中のいずれかの画像に対してピン止め設定が設定されているか否かを判定するステップ４６６を含む。
【００５４】
ステップ４４２で実行されるサブルーチンはさらに、ステップ４６６の判定結果が肯定であることに応答して、ピン止め設定されている画像ページ以外のページに対してシート送りを行なうよう指示するステップ４６８、及び、ステップ４６６の判定結果が否定であることに応答して、全てのシートに対してシート送りを行なうよう指示するステップ４７０を含む。ステップ４６８又はステップ４７０での処理が完了すると、制御は図７に示すステップ４４０に戻る。
【００５５】
＜動作＞
《表示条件の設定》
図１−２、図６、及び図９を参照して、情報処理装置１００と電子黒板装置２００及び３００とが接続されると、情報処理装置１００の表示画面１４０には設定画面５１０が表示される。情報処理装置１００のＣＰＵ１１０は接続された電子黒板装置の台数を認識し（ステップ４１２）、当該台数と等しい数の装置アイコンを設定領域５２０内に表示する（ステップ４１４）。ステップ４１２においてＣＰＵ１１０は電子黒板装置２００及び３００の２台を認識したので、設定領域５２０には装置アイコン５２２及び５２４の２つが表示される。これら装置アイコンは各電子黒板装置に対応しており、装置アイコン５２２の上部には「電子黒板装置２００」、装置アイコン５２４の上部には「電子黒板装置３００」と表示される。
【００５６】
設定画面５２０が表示されると、ＣＰＵ１１０は何らかの入力が行なわれたか否かの判定を定期的に実行する（ステップ４１６）。入力が検出されると制御はステップ４１８に進み、ＣＰＵ１１０はＯＫキーが押下されたか否かを判定する。ＯＫキーが押下されれば制御はステップ４２０に進み、何らかの入力が行なわれたが当該入力がＯＫキーの押下でなければ、制御はステップ４２８へ進む。
【００５７】
ユーザは装置アイコンをドラッグ／ドロップして、装置アイコンの並びを実際の電子黒板装置の並びに合わせる。図１を参照して、電子黒板装置２００及び３００は横一列に配列されているので、図９に示すように、ユーザは装置アイコン５２２及び５２４も横一列に並ぶよう各装置アイコンをドラッグ／ドロップする（ステップ４２８）。ドラッグ／ドロップが行なわれると、ＣＰＵ１１０は設定画面５１０の表示を装置アイコンが移動した後の状態になるよう変更する（ステップ４３０）。
【００５８】
いずれかの電子黒板装置に優先権を設定する場合、ユーザは優先権アイコン５３０を、設定を所望する電子黒板装置に対応する装置アイコンの表示位置にドラッグ／ドロップする。通常、複数の電子黒板装置のうち少なくとも１つで画像を編集する操作が行なわれている最中に画像シートを移動させる操作を行なっても、編集操作が妨げられないよう、当該移動操作は無効となる。そのため、複数の電子黒板装置を複数のユーザが操作する場合であっても、他のユーザによる操作に妨げられることなく、ユーザは画像の編集を行なうことができる。しかし、ある電子黒板装置に対して優先権が設定されると、当該電子黒板装置に表示される画像シートを移動させる操作と、その他の電子黒板装置に表示される画像を編集する操作とが同時に行なわれた場合において、前者の操作が優先される。つまり、他の電子黒板装置で表示画像を編集する操作が行なわれていたとしても、優先権を有する電子黒板装置で画像シートを移動させる操作が行なわれると、複数の電子黒板装置全体では画像シートを移動させる処置が優先して実行される。優先権を設定することで、複数人が画像の編集を同時に行なう場合であっても、ユーザは画像シートの移動を実行できる。ユーザが優先権アイコン５３０を装置アイコン５２２の表示位置にドラッグ／ドロップすると（ステップ４２８でＮＯ）、ＣＰＵ１１０は装置アイコン５２２の左下に、電子黒板装置２００に優先権が設定されたことを示すアイコンを表示する（ステップ４３２）。ステップ４３２の処理が完了すると、制御はステップ４１６へ戻る。
【００５９】
ユーザが装置アイコン５２２にタッチすると、装置アイコン５２２の周囲に当該アイコンを囲む枠線５２６が表示される（ステップ４３２）。枠線５２６の表示は、当該アイコンが選択状態にあることを示す。ユーザは装置アイコン５２２を選択状態にしておいたうえで、図示しないテンキーを操作し、電子黒板装置２００の表示順位を入力する。ＣＰＵ１１０は入力された数値を装置アイコン５２２の中央部に表示する（ステップ４３２）。図９に示す装置アイコン５２２の中央部には「２」、装置アイコン５２４の中央部には「１」と表示されているので、各電子黒板装置の表示順位は、電子黒板装置３００が１番、電子黒板装置２００が２番となる。つまり、図１を参照して、電子黒板装置３００に先に画像シートが表示され、その次に電子黒板装置２００に表示される。したがって、この場合、各電子黒板装置に対面したユーザから見て、画像シートは右から左へ移動しているかのように表示される。
【００６０】
各電子黒板装置に対する設定の入力を終えると、ユーザはＯＫキー５４０を押下する（ステップ４１８でＹＥＳ）。ステップ４２０において、ＣＰＵ１１０は、入力された設定が正しいか否かを判定する。入力内容が正しくない場合（ステップ４２０でＮＯ）、ＣＰＵ１１０は表示画面１４０に図示しないエラー通知を表示し（ステップ４２６）、再びユーザからの入力が検出されたか否かを判定する（ステップ４１６）。入力内容が正しい場合（ステップ４２０でＹＥＳ）、ＣＰＵ１１０は入力された設定内容に基づく表示を各電子黒板装置に表示させるよう、設定する（ステップ４２２）。ステップ４２２での設定が完了すると、ＣＰＵ１１０は設定が完了したことを通知する設定完了通知（図示せず。）を表示画面１４０に表示し（ステップ４２４）、このプログラムの実行は終了する。
【００６１】
《シート送り》
図２、図７−８、及び図１０−１１（特に図１０）を参照して、ユーザが各電子黒板装置に表示される画像シートを移動させる処理（以下、「シート送り」と呼ぶことがある。）を行なう場合の情報処理装置１００の動作について説明する。
【００６２】
ユーザは図９の設定画面５１０を操作し、各電子黒板装置の表示条件を設定し、さらに、表示させる画像シートを指定する（ステップ６１２）。ユーザからの指示に基づいて、ＣＰＵ１１０はユーザが入力した内容を設定する（ステップ４２２）。
【００６３】
ここで、ＣＰＵ１１０は各電子黒板装置の表示条件と、指定された画像シートの表示開始ページに関する設定とに基づき、当該画像シートの表示データを作成する。設定画面５１０を参照して、電子黒板装置２００及び３００は横一列に並べられており、それぞれの表示順位は、電子黒板装置２００が２番、電子黒板装置３００が１番に設定されている。この場合、例えば、画像シートの１ページ目はまず電子黒板装置３００に表示され、次に電子黒板装置２００に表示される。つまり、画像は電子黒板装置に向かって右から左に移動したかのように表示される。このような表示条件の設定に応じて、ＣＰＵ１１０は表示開始ページの画像シートを１枚目として、指定された画像シートを構成する各シートが左から順に１枚目、２枚目、…と連続して並べられた表示データを作成する。
【００６４】
ＣＰＵ１１０は指定された画像シートの表示開始ページである１枚目のシート（表紙ページ）を表示するよう指示する信号を電子黒板装置３００に送信する（ステップ６１４）。指示信号を受信したことに応答して、電子黒板装置３００は図１１（ａ）に示すように表紙ページをタッチパネルディスプレイ３１０に表示する（ステップ６１６）。
【００６５】
ユーザが電子黒板装置３００に表示される画像シートを右から左へフリックすると（ステップ６１８）、電子黒板装置３００の検知部３３２はユーザのフリックを検知し（ステップ６２０）、ＣＰＵ３５２はシート送り動作を検知したことを通知する信号を情報処理装置１００へ送信する（ステップ６２０）。
【００６６】
ステップ４４０において、ＣＰＵ１１０は電子黒板装置３００から受信した信号によって通知されるユーザの操作がどのような内容かを判定する。図８を参照して、当該ユーザ操作の内容がシート送りであると判定されると、ＣＰＵ１１０は、編集中のシートがなく（ステップ４６２でＮＯ）、ピン止め設定が設定されていないこと（ステップ４６６でＮＯ）に応答して、ＣＰＵ１１０は電子黒板装置２００及び３００に画像シートを送るよう指示する信号を送信する（ステップ４７０）。
【００６７】
各電子黒板装置に表示される表示データは、各シートが表紙開始ページの画像シート（表紙ページ）を起点として、左から右へ連続して並ぶよう構成されている。ユーザが右から左へフリックしたことに応じて、ＣＰＵ１１０は、表示データを左から右へ一定間隔で読取り、読取った当該画像を順次表示するよう、電子黒板装置３００を制御する。したがって、図１１（ｂ）を参照して、電子黒板装置３００には１枚目の画像シート（表紙ページ）から２枚目の画像シート（１ページ）がスライドするように表示される（ステップ６２２）。同様に、電子黒板装置２００には、１枚目の画像シート（表紙ページ）が電子黒板装置３００から移動してきたかのようにスライドして表示される（ステップ６２４）。画像がスライドする速さはフリックの速さに、スライドする量はフリックした距離に応じて決定される。図１１（ｂ）の表示状態を経て、電子黒板装置２００には１枚目の画像シート（表紙ページ）が、電子黒板装置３００には２枚目の画像シート（１ページ）が表示され、図１１（ｃ）のような状態となる。
【００６８】
電子黒板装置２００には優先権が設定されているので、電子黒板装置３００に表示される画像シートに編集が行なわれているときに電子黒板装置２００でシート送りの動作が検知されると、シート送りが優先して実行される。この場合、情報処理装置は電子黒板装置２００及び３００の両方にシート送りを行なうよう指示する信号及び表示データを送信する。当該信号等を受信することで、編集が実行されていた電子黒板装置３００でもシート送りが実行される。
【００６９】
＜作用・効果＞
ユーザが電子黒板装置に表示される画像をフリックすると、フリック操作に応じて当該画像が移動する。移動の方向、速さ、及び移動量は、ユーザが行なったフリックに対応する。この移動は電子黒板装置２００及び３００で行なわれ、ユーザは電子黒板装置を１台用いる場合に比べ、広い範囲で画像を表示させることができる。さらに、フリック操作で画像を移動させることで、容易に電子黒板装置に表示される画像を変更できる。画像シートはシート単位で電子黒板装置間を移動しているかのように表示されるので、ユーザは複数の電子黒板装置に対し、直感的な操作でシート送りを実行させることができる。
【００７０】
上記した表示システムは１台の情報処理装置及び２台の電子黒板装置で構成される。したがって、スタンドアロン型ＰＣでも、本表示システムを実現できる。
【００７１】
［第１の変形例］
《ピン止め設定時のシート送り》
上記した動作では電子黒板装置２００及び３００に表示される画像シートの両方がスライドして表示されたが、一部の画像シートの表示を固定したまま、すなわち、一部の電子黒板装置に対してピン止め設定を設定した状態で、その他の画像シートをスライドさせるシート送りを行なってもよい。なお、この第１の変形例に係る表示システムでは、電子黒板装置２００及び３００に加えてさらに電子黒板装置４００を含む。電子黒板装置４００の構成は電子黒板装置２００及び３００と同様の構成であるため、ここでは説明を繰返さない。
【００７２】
＜動作＞
図２、図７−８、及び図１２−１３（特に図１２）を参照して、一部の電子黒板装置にピン止め設定が設定されている場合に、ユーザが各電子黒板装置に表示される画像シートを移動させる処理（以下、「シート送り」と呼ぶことがある。）を行なう場合の情報処理装置１００の動作について説明する。
【００７３】
図１２を参照して、ユーザは情報処理装置１００に表示される設定画面（図示せず。）を操作して各電子黒板装置の表示条件を設定し、さらに表示される画像を指定する（ステップ６１２）。本変形例では、各電子黒板装置の表示順位は、電子黒板装置４００が１番目、電子黒板装置３００が２番目、電子黒板装置２００が３番目になるよう設定される。各電子黒板装置に最初に表示される画像シートは、電子黒板装置２００には１枚目の画像シート（目次ページ）が、電子黒板装置３００には２枚目の画像シート（１ページ）が、電子黒板装置４００には３枚目の画像シート（２ページ）がそれぞれ表示されるよう、設定される。
【００７４】
ユーザが入力した設定等を通知する信号を受信したことに応答して、ＣＰＵ１１０は当該入力の内容を設定し、表示データを作成する（ステップ４２２）。この表示データは、１枚目（目次ページ）、２枚目（１ページ）、３枚目（２ページ）、…というように、１枚目の画像シートを起点として各画像シートが左から右に連続して並べられている構成となっている。電子黒板装置４００の表示順位が１番であるため、シート送りが行なわれると、ＣＰＵ１１０は当該表示データを左から右へ一定間隔で読取り、各電子黒板装置へ表示させるように動作する。
【００７５】
ＣＰＵ１１０は、各電子黒板装置に、指定された画像シートを表示するよう指示する信号を送信する（ステップ６１４）。この指示信号を受信したことに応答して、図１３（ａ）を参照して、電子黒板装置は目次ページを、電子黒板装置３００は１ページ目を、電子黒板装置４００は２ページ目を、それぞれ各タッチパネルディスプレイに表示させる（ステップ６３２−６３６）。
【００７６】
ユーザは図示しない入力ペンのピン止め設定キーをオンにしたうえで、電子黒板装置２００のタッチパネルディスプレイ２１０に表示される画面を入力ペンでタッチする（ステップ６３８）。電子黒板装置２００の検知部２３２はピン止め設定を指示するユーザ操作を検知し、ＣＰＵ２５２は検知したことを通知する信号を情報処理装置１００へ送信する（ステップ６４０）。ＣＰＵ１１０は、表示中の画像シート（目次ページ）の表示を固定するよう指示する信号を電子黒板装置２００へ送信する（ステップ４４６）。なお、以下では、表示中の画像シートの表示を固定することを「ロックする」と呼ぶことがある。
【００７７】
ＣＰＵ２５２は目次ページの画像シートの表示を固定し、さらに、表示画面の右上にピン止め設定が行なわれていることを示すピン止め設定アイコン５５０を表示させる（ステップ６４２）。ピン止め設定アイコン５５０が入力ペンでタッチされるまで、目次ページの画像シートはロックされた状態で維持される。
【００７８】
図１３（ｂ）を参照して、ユーザは電子黒板装置３００に表示される画像シートを右から左にフリックして、画像シートを送る（ステップ６４４）。電子黒板装置３００の検知部３３２は当該フリック動作を検知し、ＣＰＵ３５２はフリック動作を検知したことを通知する信号を情報処理装置１００へ送信する（ステップ６４６）。この信号を受信したことに応答して、ＣＰＵ１１０はステップ４２２で作成した表示データを左から右へ一定間隔でずらしながら読取ったデータを表示するよう指示する信号及び当該データを、電子黒板装置３００及び４００へ送信する（ステップ４６８）。この信号等を受信したことに応答して、電子黒板装置３００は１ページ目の画像シートを送り、２ページ目の画像シートを表示する（ステップ６４８）。電子黒板装置４００は２ページ目の画像シートを送り、３ページ目の画像シートを表示する（ステップ６５０）。ステップ６４８及び６５０におけるシート送りが実行されている間、電子黒板装置２００には目次ページの画像シートが表示され続ける。
【００７９】
＜作用・効果＞
ピン止め設定機能をオンした状態で所望の画像シートに入力ペンでタッチすると、ユーザは当該画像シートの表示を固定できる。その後、ユーザは当該画像シートの表示を固定させたままで、他の画像シートをシート送りできる。したがって、電子黒板装置に表示を維持させたいシートがある場合、ユーザは当該画像をピン止め設定させておくことで、当該画像シートを表示させたまま他の画像シートの編集等を行なうことができる。
【００８０】
［第２の変形例］
《グループ設定時のシート送り》
複数ある電子黒板装置のうちのいくつかをまとめて１つのグループとし、当該グループに属する電子黒板装置には当該グループを構成する電子黒板装置の数を単位としたシート送りを行なうようにしてもよい。なお、この第２の変形例に係る表示システムは、電子黒板装置２００−４００に加えて電子黒板装置５００を含む。電子黒板装置５００に関しても電子黒板装置２００−４００と同様の構成であるため、説明を繰返さない。
【００８１】
＜動作＞
図１４−１６を参照して、本変形例では電子黒板装置が４台あるため、図１４に示す設定画面５１０の設定領域５２０には４つの装置アイコン６６２−６６８が表示される。ユーザはこれら装置アイコンをドラッグ／ドロップし、実際の各電子黒板装置の配列に合わせる。図１６に示されるように、電子黒板装置２００−５００は縦に２台、横に２台となるよう配置されているので、装置アイコン６６２−６６８も同様の配置になるように設定される。各電子黒板装置の表示順位について、ユーザは電子黒板装置２００が４番目、電子黒板装置３００が３番目、電子黒板装置４００が２番目、電子黒板装置５００が１番目になるよう、それぞれ設定する。さらにユーザは、電子黒板装置４００に対して優先権を設定する。
【００８２】
図１４の設定画面５１０では、カーソル等をドラッグして所望の装置アイコンを囲む操作を行なうと、当該装置アイコンに対応する電子黒板装置を同一グループに設定できる。ユーザは装置アイコン６６６及び６６８を囲むようにカーソル等をドラッグする。当該ドラッグ操作が実行されたことに応答して、装置アイコン６６６及び６６８の周囲には枠線６７８が表示され、電子黒板装置４００及び５００がグループ１に含まれることを示すグループ表示６７２が表示される。装置アイコン６６２及び６６４に対しても同様の操作を行なうと、枠線６７６、及び、電子黒板装置２００及び３００がグループ２に含まれることを示すグループ表示６７０が表示される。
【００８３】
各電子黒板装置がどのグループに属するかは、電子黒板装置の表示順位によって自動的に決まる。グループ表示６７２は表示順位が１番目である電子黒板装置５００を含むため、装置アイコン４００及び５００を囲むようなドラッグ操作が行なわれると、「グループ１」を自動的に表示する。同様に、グループ表示６７０はグループ１に属さない電子黒板装置が集合して構成されるグループを指すため、「グループ２」と表示する。各電子黒板装置の表示順位が設定されていない場合、グループ表示には「グループ名を入力して下さい」というメッセージ（図示せず。）が表示され、ユーザは図２に示す操作装置１５０を操作して、グループ名を入力する。
【００８４】
ユーザがＯＫキー５４０を押下すると、各電子黒板装置の表示条件が設定される。ユーザはさらに各電子黒板装置に表示する画像シートを指定する（図１５のステップ６１２）。ＣＰＵ１１０は、これら入力された内容を設定し、表示データを作成する。各電子黒板装置は図１４に示すような配列及び表示順位に設定されているので、ＣＰＵ１１０は表示データを、各画像シートを、横２列、上から下に表示順位が下がるように配列する。具体的には、１列目の左側には１枚目の画像シート、右側には２枚目の画像シート、２列目の左側には３枚目の画像シート、右側には４枚目の画像シート、…となるように配置される。さらに、本変形例において電子黒板装置は４台あるため、最も表示順位の高い電子黒板装置５００に４枚目の画像シートが、表示順位が２番目の電子黒板装置４００に３枚目の画像シートが最初に表示されるよう、当該表示データは構成される。
【００８５】
ＣＰＵ１１０が１番最初に表示される画像を表示するよう指示する信号を各電子黒板装置に送信したことに応答して、各電子黒板装置のタッチパネルディスプレイには図１６（ａ）のように画像シートが表示される（図１５のステップ６８２−６８８）。
【００８６】
ユーザが電子黒板装置４００に表示される画像シートを下から上へフリックすると（図１５のステップ６９０）、電子黒板装置４００の検知部（図示せず。）が当該フリック動作を検知し、電子黒板装置４００の制御装置に含まれる図示しないＣＰＵが、検知したことを通知する信号を情報処理装置１００へ送信する（図１５のステップ６９２）。この通知信号を受信したことに応答して、ＣＰＵ１１０は各電子黒板装置へシート送りを行なうよう指示する信号及び表示データを送信する（図１５のステップ４６８）。
【００８７】
各電子黒板装置には、送信された表示データが表示される。ここで、電子黒板装置２００及び３００、並びに、電子黒板装置４００及び５００はそれぞれ同一グループに設定されているので、各電子黒板装置に表示される画像シートは、２枚ずつスライドする。ＣＰＵ１１０は横２列に並んだ表示データを、上から下へ読込み、各電子黒板装置へ表示させる。例えば、電子黒板装置２００には、１ページ目の画像シートの次に表示される画像シートは、２ページ目でなく３ページ目となる。同様に、電子黒板装置４００には、２ページ目の画像シートの次に４ページ目の画像シートが表示される。ＣＰＵ１１０は図１６（ｂ）のような表示を経て、各電子黒板装置の表示を図１６（ｃ）の状態へ遷移させる（図１５のステップ６９４−７０２）。
【００８８】
グループ設定されている場合も、優先権を有する電子黒板装置において行なわれたシート送りの動作は、他のユーザ操作に優先される。電子黒板装置４００においてシート送りの動作が検知されると、他の電子黒板装置で画像シートの編集が行なわれている最中であっても、シート送りが優先して実行される。
【００８９】
＜作用・効果＞
電子黒板装置のいくつかをグループ設定すると、グループを構成する電子黒板装置の数を単位としたシート送りができる。したがって、１ページずつシート送りする場合に比べて、効果的に画像を表示できる。グループの分類を工夫すれば、多種多様な表示を実現できる。このような表示方法は学校における授業だけでなく、駅や空港等の広告表示、大会議場でのプレゼンテーション等、大きな場所で画像を表示するときにより有効である。
【００９０】
本変形例において、優先権を個別の電子黒板装置に対してではなく、グループ全体に設定するようにしてもよい。図１４を参照して、優先権はグループ１に属する電子黒板装置４００に設定されているので、電子黒板装置４００だけでなく電子黒板装置３００においてシート送りの動作が検知された場合にも、当該シート送り動作は画像シートを編集する操作に優先して実行される。
【００９１】
本実施の形態に係る表示システムは授業等で使用されるが、使用するシチュエーションは授業に限定されない。例えば、会議及びプレゼンテーション等にも本表示システムは活用できる。情報処理装置及び電子黒板装置の大きさ及び台数等も限定されない。さらに、接続されていれば、情報処理装置及び電子黒板装置は遠隔地に設置されていてもよい。このような構成とすることで、遠隔地と中継して行なう会議にも本システムを活用できる。
【００９２】
情報処理装置１００の表示画面１４０及び操作装置１５０を、一体型のタッチパネルディスプレイで構成してもよい。又は、情報処理装置１００を電子黒板装置のいずれかに組込んでもよい。このような構成とすることで、１台の電子黒板装置で画像表示だけでなく他の電子黒板装置に対する制御を行なうことができ、管理負担を軽減できる。
【００９３】
上記実施の形態では、図９に示す優先権アイコン５３０を所望の電子黒板装置に対応する装置アイコンにドラッグ／ドロップすることで設定しているが、優先権の設定はこのような方法に限定されない。例えば、ピン止め設定と同様に、入力ペンに優先権設定キーを予め設けておき、当該キーがオンされた状態で所望の装置アイコンにタッチすると、対応する電子黒板装置に優先権が設定されるという構成にしてもよい。反対に、ピン止め設定についても、電子黒板装置の表示部にピン止め設定アイコンを表示させておき、当該アイコンを所定位置までドラッグ／ドロップすることでピン止め設定を実行する構成としてもよい。
【００９４】
上記実施の形態では、電子黒板装置の表示順位をテンキーにより入力しているが、表示順位の設定はこのような方法に限定されない。例えば、装置アイコンが２回連続してタッチされる操作が実行された装置アイコンの順に、表示順位を設定してもよい。図９を参照して、電子黒板装置２００及び３００の両方に表示順位が設定されていない状態で装置アイコン５２４をダブルタッチすると、電子黒板装置３００が１番目に設定される。順位を変更する場合には、設定済みの装置アイコンをダブルタッチすれば、当該アイコンは未設定の状態となり、他の設定済みの電子黒板装置の表示順位が繰上がる（図９では、電子黒板装置２００の表示順位が１番目に繰上がる。）。このような構成とすることで、テンキーを情報処理装置に備える必要がなく、より簡単な操作で表示順位を設定できる。
【００９５】
上記実施の形態では、他の電子黒板装置に対する編集操作よりも優先して優先権を有する電子黒板装置のシート送りを実行するとされているが、優先権の効果が及ぶ範囲はこれに限定されない。例えば、同時に反対方向のシート送りが実行された場合に、優先権を有する電子黒板装置で実行されたシート送りを優先して実行するようにしてもよい。又は、優先権を有する電子黒板装置において編集及びシート送り等何らかのユーザ操作が検知されると、他の電子黒板装置には一切の操作を行なうことができないような構成にしてもよい。このような構成とすることで、例えば教師がシート送り及び編集等を行なっている間は生徒が画像シートを操作できないようにすることができる。
【００９６】
上記実施の形態では、グループ設定を行なった場合、各グループに属する電子黒板装置の表示順位に応じて自動的にグループ番号を表示している。しかし、グループ名の表示方法はこのような形態に限定されない。例えば、グループ設定を行なった順にグループ１、グループ２、…と自動的に番号を割り振り、グループ名の変更を所望するグループ表示に対しては当該グループ表示を入力ペン等でタッチすることでグループ名の変更を可能とする構成としてもよい。このような構成とすることで、各電子黒板装置の表示順位が設定されていない場合でもグループ名は自動的に表示される。さらに、グループ名を変更したい場合には、ユーザは当該グループ表示を入力ペン等でタッチし操作装置１５０を操作することで、当該グループ名を変更できる。
【００９７】
［第２の実施の形態］
第１の実施の形態では、１台の情報処理装置１００で複数の電子黒板装置２００−４００を制御したが、本実施の形態では、１台の情報処理装置が制御する電子黒板装置は１台である。つまり、情報処理装置及び電子黒板装置は１対１に対応する組として構成され、本実施の形態に係る表示システムではこのような組を複数含む。これら複数の組どうしは同一ネットワーク内に配置され、表示ソフトファイルを共有する。この点を除けば、本実施の形態に係る表示システムは第１の実施の形態に係る表示システムと同様の構成である。
【００９８】
＜表示システムの全体構成＞
図１７を参照して、本実施の形態に係る表示システムは、互いに接続された情報処理装置７００及び電子黒板装置９００、並びに、情報処理装置８００及び電子黒板装置１０００を含む。これらの装置は全て同一ネットワーク内で動作する。この表示システムでは、表示ソフトは情報処理装置７００で実行される。電子黒板装置１０００に画像シートを表示させる場合、まず情報処理装置７００から情報処理装置８００へ指示信号が送信され、当該信号の内容に基づき、情報処理装置８００から電子黒板装置１０００へ指示信号がさらに送信される。このように、図１７に示す表示システムでは、シート送り及び編集等の制御は情報処理装置７００が決定している。
【００９９】
＜動作＞
図１０及び図１８を比較して、図１８ではステップ４２２の処理が情報処理装置７００だけでなく情報処理装置８００でも実行されている点、並びに、ステップ４７０に変わってステップ７２２及び７２４が実行されている点が図１０と異なるが、その他の処理については図１０と同様である。
【０１００】
ステップ６１２において、ユーザは情報処理装置７００に対し、各電子黒板装置の表示条件の設定及び表示させる画像シートを指定する指示を行なう。ステップ６２０において、電子黒板装置９００がシート送りの動作を検知すると、ステップ７２２において、情報処理装置７００は情報処理装置８００及び電子黒板装置９００に対し、表示を指示する信号及び表示データを送信する。電子黒板装置９００は表紙ページの画像シートを送り１ページ目の画像シートを表示する（ステップ６２２）。
【０１０１】
情報処理装置８００はステップ７２２において情報処理装置７００が送信した信号に応答して、電子黒板装置１０００に指示信号及び表示データを送信する。当該指示信号に応答して、電子黒板装置１０００は当該表示データにより示される表紙ページの画像シートを表示する（ステップ６２４）。
【０１０２】
＜作用・効果＞
本実施の形態に係る表示システムによると、各電子黒板装置の制御は各情報処理装置で行なわれる。電子黒板装置が多数ある場合には、１台の情報処理装置で全ての電子黒板装置を制御する構成よりも、本実施の形態のような構成にすることで、情報処理装置にかかる負担を軽減できる。
【０１０３】
本実施の形態では情報処理装置及び電子黒板装置を組合わせたものを２対含む表示システムを構成したが、当該表示システムを構成する対は何対あっても構わない。多数の対を含むように構成すれば、制御を行なうメインの情報処理装置に過度の負担をかけずに、大規模な表示システムを構成することが可能となる。
【０１０４】
上記で開示された技術を適宜組合せて得られる実施の形態についても、本発明の技術的範囲に含まれる。
【０１０５】
（１）本発明の第１の局面に係る情報処理装置１００は、複数の電子黒板装置２００及び３００に接続される。この情報処理装置１００は、複数の画像シートを、各画像シートの表示順序と関係付けて記憶するための記憶手段と、複数の電子黒板装置２００及び３００の各々に表示される画像シートの、表示順序の間の関係を設定するための設定手段と、記憶手段に記憶された複数の画像シートのうち、複数の電子黒板装置２００及び３００の１つに表示される画像シートが指定されたことに応答して、設定手段による設定と記憶手段に記憶された各画像シートの表示順序とに基づいて、各電子黒板装置に表示されるべき画像シートを決定し、各電子黒板装置に表示させるための表示制御手段とを含む。
【０１０６】
情報処理装置１００は複数の画像シートを表示順序と関係付けて記憶し、複数の電子黒板装置２００及び３００に表示される画像シートの表示順序の関係を設定する。さらに、電子黒板装置の１つに表示される画像が指定されると、情報処理装置１００は、当該表示順序及び当該設定に基づき各電子黒板装置に表示される画像シートを決定する。したがって、この情報処理装置１００を用いることで、ユーザは複数の画像シートを複数の電子黒板装置にどのように表示させるかを任意に設定でき、効果的に複数のシートを表示できる。さらに、表示を変更する操作を行なえば、各電子黒板装置には当該変更に応じた画像シートがそれぞれ表示される。ユーザは複数の画像シートの表示順序及び当該表示順序の間の関係を予め設定しておけば、簡単な操作で効果的に複数の画像シートを各電子黒板装置に表示できる。
【０１０７】
（２）好ましくは、情報処理装置１００は、複数の電子黒板装置２００−４００のうち少なくとも１つに対し、当該電子黒板装置に表示される画像の表示を固定するか否かを示す情報の入力を受け記憶するための固定情報記憶手段をさらに含み、表示制御手段は、記憶手段に記憶された複数の画像シートのうち、複数の電子黒板装置の１つに表示される画像シートが指定されたことに応答して、設定手段による設定と、記憶手段に記憶された各画像シートの表示順序とに基づいて、固定情報記憶手段により表示を固定することが記憶されている電子黒板装置を除く複数の電子黒板装置に表示されるべき画像シートを決定し、各電子黒板装置に表示させるための手段を含む。
【０１０８】
表示される画像の表示を固定することを示す情報が固定情報記憶手段に記憶されていると、当該電子黒板装置２００を除く複数の電子黒板装置３００及び４００に対して、表示される画像シートが指定されたことに応答して表示されるべき画像シートが決定される。ユーザが特定の電子黒板装置２００に対し画像シートの表示を固定するよう入力すると、当該電子黒板装置２００の表示は固定され、設定手段による設定及び表示順序に影響されない。したがって、ユーザは特定の電子黒板装置２００の表示を固定させておいたうえで、その他の電子黒板装置３００及び４００に表示される画像シートを任意に変更できる。
【０１０９】
（３）好ましくは、情報処理装置１００は、複数の電子黒板装置２００−５００を少なくとも２つのグループに分類するユーザ入力を受け、各グループに属する電子黒板装置を特定する情報を記憶するためのグループ記憶手段をさらに含み、表示制御手段は、複数の電子黒板装置２００−５００の１つに表示される画像シートが指定されたことに応答して、グループ記憶手段により記憶されたグループに関する情報と、設定手段による設定と、記憶手段に記憶された各画像シートの表示順序とに基づいて、ユーザ指示が行なわれた電子黒板装置が属するグループと同じグループに属する各電子黒板装置に表示されるべき画像シートを決定し、表示させるための手段を含む。
【０１１０】
複数の電子黒板装置２００−５００をグループに分類するユーザ入力を受けると、情報処理装置１００は、当該グループに関する情報、設定手段による設定、及び表示順序に基づいて、各電子黒板装置に表示させる画像シートを決定する。したがって、ユーザは電子黒板装置２００−５００をグループに分類しておけば、各電子黒板装置の表示を所属するグループに応じた表示にすることができる。ユーザは、表示される画像シートの内容及びテーマ等がグループによって異なるよう、電子黒板装置２００−５００のグループを任意に設定できる。
【０１１１】
（４）好ましくは、情報処理装置１００は、複数の電子黒板装置２００及び３００の少なくとも１つに対し、当該電子黒板装置に表示される画像シートを編集するユーザ操作が行なわれたことに応答して、表示制御手段を不能化するための不能化手段をさらに含む。
【０１１２】
電子黒板装置に表示される画像シートを編集するユーザ操作が行なわれると、情報処理装置１００は表示制御手段を不能化する。したがって、画像シートを編集する操作が行なわれている最中に誤って表示を変更する操作が行なわれても、当該変更操作は無効となり、編集は保存される。
【０１１３】
（５）さらに好ましくは、情報処理装置１００は、複数の電子黒板装置２００及び３００のいずれかに対し、当該電子黒板装置に表示される画像シートを移動させるユーザ操作が行なわれたことに応答して、不能化手段を無効にして当該ユーザ操作を実行する優先権を当該電子黒板装置に設定するための優先権設定手段をさらに含む。
【０１１４】
優先権が設定される電子黒板装置２００に表示される画像シートを移動させるユーザ操作が行なわれると、不能化手段は無効となり、他の電子黒板装置３００に表示される画像シートの編集が行なわれていたとしても、複数の電子黒板装置２００及び３００に表示される画像シートは変更される。したがって、ユーザは特定の電子黒板装置２００にのみ優先権を設定しておけば、他の電子黒板装置で編集が行なわれていても、各電子黒板装置に表示される画像シートを変更できる。
【０１１５】
（６）本発明の第２の局面に係る表示システムは、情報処理装置１００及び複数の電子黒板装置２００及び３００を含む。情報処理装置は、複数の画像シートを、各画像シートの表示順序と関係付けて記憶するための記憶手段と、複数の電子黒板装置２００及び３００の各々に表示される画像シートの、表示順序の間の関係を設定するための設定手段と、記憶手段に記憶された複数の画像シートのうち、複数の電子黒板装置の１つに表示される画像シートが指定されたことに応答して、設定手段による設定と、記憶手段に記憶された各画像シートの表示順序とに基づいて、各電子黒板装置に表示されるべき画像シートを決定し、各電子黒板装置に表示させるための表示制御手段とを含む。
【０１１６】
表示システムは、１つの情報処理装置１００及び複数の電子黒板装置２００及び３００を含むよう構成される。したがって、ユーザはスタンドアロン型ＰＣを用いて表示システムを構成することで、ネットワーク設定等の煩雑な処理を必要としない表示システムを実現できる。
【０１１７】
（７）本発明の第３の局面に係る表示システムは、１対１に対応して接続される電子黒板装置及び情報処理装置の組を複数含む。情報処理装置７００及び８００は、複数の画像シートを、各画像シートの表示順序と関係付けて記憶するための記憶手段と、複数の電子黒板装置の各々に表示される画像シートの、表示順序の間の関係を設定するための設定手段と、記憶手段に記憶された複数の画像シートのうち、複数の電子黒板装置の１つに表示される画像シートが指定されたことに応答して、設定手段による設定と、記憶手段に記憶された各画像シートの表示順序とに基づいて、各電子黒板装置に表示されるべき画像シートを決定し、各電子黒板装置に表示させるための表示制御手段とを含む。
【０１１８】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１１９】
１００、７００、９００  情報処理装置
１１０、２３６、２５２、３３６、３５２  ＣＰＵ
２００、３００、４００、５００、９００、１０００  電子黒板装置
５１０  設定画面
５２０  設定領域
５２２、５２４、６６２、６６４、６６６、６６８  装置アイコン
５３０  優先権アイコン
５４０  ＯＫキー
５５０  ピン止め設定アイコン
６７０、６７２  グループ表示
【図１】
2014149714.tif 000003
【図２】
2014149714.tif 000004
【図３】
2014149714.tif 000005
【図４】
2014149714.tif 000006
【図５】
2014149714.tif 000007
【図６】
2014149714.tif 000008
【図７】
2014149714.tif 000009
【図８】
2014149714.tif 000010
【図９】
2014149714.tif 000011
【図１０】
2014149714.tif 000012
【図１１】
2014149714.tif 000013
【図１２】
2014149714.tif 000014
【図１３】
2014149714.tif 000015
【図１４】
2014149714.tif 000016
【図１５】
2014149714.tif 000017
【図１６】
2014149714.tif 000018
【図１７】
2014149714.tif 000019
【図１８】
2014149714.tif 000020